(57)【要約】【課題】脱毛対象部位の落ち込みを抑えて、小型化に伴う脱毛爪での脱毛対象部位の挟み込みを回避すると共に、リブによる起毛効率を向上させた脱毛装置を提供する。【解決手段】この課題を解決するために、外周が把持される本体１と、本体１の一端に設けられ脱毛動作を行う脱毛部１１と、脱毛部１１を回転させる駆動部と、を備え、脱毛部１１が、軸周りに回転する回転シリンダ１２と、回転シリンダ１２の外周で開閉する脱毛爪３０と、脱毛爪３０を開閉させる開閉機構部と、回転シリンダ１２の外周に設けられ脱毛対象部位７０に当接されるリブ５６と、を有し、リブ５６が回転シリンダ１２の外周面の全周に亘って形成されると共に、リブ５６を少なくとも二つ備え、リブ５６が夫々内周側に凹んだ凹み５７を有し、リブ５６のうち、少なくとも一つのリブ５６が他のリブ５６と回転シリンダ１２の周方向の異なる位置に凹み５７を有するものとした。【選択図】図１
2012130488.tif 000002
【特許請求の範囲】
【請求項１】
外周が把持される本体と、前記本体の一端に設けられ脱毛動作を行う脱毛部と、前記脱毛部を回転させる駆動部と、を備え、
前記脱毛部が、軸周りに回転する回転シリンダと、前記回転シリンダの外周で開閉する脱毛爪と、前記脱毛爪を開閉させる開閉機構部と、前記回転シリンダの外周に設けられ脱毛対象部位に当接されるリブと、を有し、
前記リブが前記回転シリンダの外周面の全周に亘って形成されると共に、前記リブを少なくとも二つ備え、
前記リブが夫々内周側に凹んだ凹みを有し、前記リブのうち、少なくとも一つの前記リブが他の前記リブと前記回転シリンダの周方向の異なる位置に前記凹みを有したものであることを特徴とする脱毛装置。
【請求項２】
前記リブの、前記回転シリンダの径方向に沿った前記回転シリンダの回転中心からの各最大寸法距離が、同じ寸法であることを特徴とする請求項１に記載の脱毛装置。
【請求項３】
前記回転シリンダの回転中心から前記凹みまでの前記回転シリンダの径方向に沿った寸法距離が、前記凹み毎に異なるものであることを特徴とする請求項１または請求項２に記載の脱毛装置。
【請求項４】
前記凹みが前記回転シリンダの周方向に角を有するものであることを特徴とする請求項１〜３のいずれか一項に記載の脱毛装置。
【発明の詳細な説明】
【技術分野】
【０００１】
本発明は、脱毛装置に関するものである。
【背景技術】
【０００２】
従来から、脱毛装置として、本体の一端に脱毛部を設けると共に、脱毛部が、回転する回転シリンダと、回転シリンダの外周に設けられた脱毛爪と、を備えたものがある（特許文献１等参照）。このようなものでは、回転シリンダの外周面の周方向の一部に、複数のリブを点在して設けて、回転シリンダの回転中心から肌等の脱毛対象部位までの距離を調整すると共に、脱毛対象部位上の毛を起して脱毛爪に導入され易くしている。
【０００３】
そして、近年では、出先等で身嗜みを整えることが可能な携帯し易い理容道具の需要が高まっており、脱毛装置に対しても携帯の容易な小型化が望まれている。
【先行技術文献】
【特許文献】
【０００４】
【特許文献１】特表２００２−５１６１２５号公報
【発明の概要】
【発明が解決しようとする課題】
【０００５】
しかしながら、周方向の一部にリブを点在して設けた従来の構成では、脱毛部を小型化すると、リブの間に肌等の脱毛対象部位が入り込む等でリブより内周側に脱毛対象部位が位置することがある。そして、このものでは、小型化に伴う回転円の小径化によって、内周側に位置した脱毛対象部位が外周側に戻る前に、該脱毛対象部位上を脱毛爪が横切ることがあり、該部位を脱毛爪で挟み込んでしまい、使用者に痛みを与えることがある。
【０００６】
そこで、この事情を鑑み、脱毛対象部位の落ち込みを抑えて、小型化に伴う脱毛爪での脱毛対象部位の挟み込みを回避すると共に、リブによる起毛効率を向上させた脱毛装置を提供することを課題とした。
【課題を解決するための手段】
【０００７】
上記課題を解決するために、本発明の脱毛装置は、外周が把持される本体と、前記本体の一端に設けられ脱毛動作を行う脱毛部と、前記脱毛部を回転させる駆動部と、を備え、前記脱毛部が、軸周りに回転する回転シリンダと、前記回転シリンダの外周で開閉する脱毛爪と、前記脱毛爪を開閉させる開閉機構部と、前記回転シリンダの外周に設けられ脱毛対象部位に当接されるリブと、を有し、前記リブが前記回転シリンダの外周面の全周に亘って形成されると共に、前記リブを少なくとも二つ備え、前記リブが夫々内周側に凹んだ凹みを有し、前記リブのうち、少なくとも一つの前記リブが他の前記リブと前記回転シリンダの周方向の異なる位置に前記凹みを有したものであることを特徴とする。
【０００８】
この脱毛装置として、前記リブの、前記回転シリンダの径方向に沿った前記回転シリンダの回転中心からの各最大寸法距離が、同じ寸法であることが好ましい。
【０００９】
この脱毛装置として、前記回転シリンダの回転中心から前記凹みまでの前記回転シリンダの径方向に沿った寸法距離が、前記凹み毎に異なるものであることが好ましい。
【００１０】
この脱毛装置として、前記凹みが前記回転シリンダの周方向に角を有するものであることが好ましい。
【発明の効果】
【００１１】
このような構成としたことで、脱毛対象部位の落ち込みを抑えて、小型化に伴う脱毛爪での脱毛対象部位の挟み込みを回避すると共に、リブによる起毛効率を向上させることができる。
【図面の簡単な説明】
【００１２】
【図１】実施形態の一例の脱毛部の分解斜視図である。
【図２】脱毛部の構成説明図であって、（ａ）が平面図であり、（ｂ）が正面図であり、（ｃ）が第１側面図であり、（ｄ）が第２側面図である。
【図３】脱毛動作の説明図であって、（ａ）が脱毛爪閉成時の図２（ａ）のＡ−Ａ断面図であり、（ｂ）が脱毛爪開成時の図２（ａ）のＡ−Ａ断面図である。
【図４】凹みに切り欠きを設けた例の概略説明図であって、（ａ）が第１リブであり、（ｂ）が第２リブである。
【図５】切り欠いて凹みを形成した例の概略説明図であって、（ａ）が第１リブであり、（ｂ）が第２リブである。
【図６】図１の脱毛部を一端に設けた脱毛装置であって、（ａ）が正面図であり、（ｂ）が側面図であり、（ｃ）が平面図である。
【図７】（ａ）が図６（ａ）のＢ−Ｂ断面図であり、（ｂ）が図６（ｂ）のＣ−Ｃ断面図である。
【図８】脱毛装置の外殻を透過させた斜視図である。
【図９】脱毛部を脱毛対象部位に当てた状態の側面図である。
【発明を実施するための形態】
【００１３】
以下、図面に基づいて本発明の実施形態を例示して説明する。
【００１４】
実施形態の一例の脱毛装置は、図６に示すように、軸方向に長い円筒状の本体１と、脱毛用の脱毛部１１を備えた脱毛ヘッド９と、で構成されており、本体１の円筒の一端に脱毛ヘッド９が取り付けられている。そして、本体１は外周面の一部が使用者に把持される把持面となっており、図９に示すように、本体１を把持して脱毛ヘッド９の脱毛部１１を肌等の脱毛対象部位７０に当接して、脱毛処理を行うものとなっている。以下の説明において、本体１の円筒の軸方向を長手方向Ｌとする。
【００１５】
本体１は、図７、図８に示すように、脱毛部１１を駆動する駆動部と、駆動部に給電する電源部と、脱毛動作の開始や停止等の外部操作用の操作部と、駆動部の駆動を制御する制御部５と、を備えている。電源部は電池やバッテリ等の内部電源２を有しており、駆動部及び制御部５に電力を供給している。
【００１６】
駆動部は、図８に示すように、モータを主体とし回転駆動を出力する動力源３と、動力源３の回転駆動を脱毛部１１に伝達する歯車を主体とした回転伝達部４と、を備えており、制御部５を介して電源部から給電されている。そして、制御部５は駆動部に供給する電力の有無や電流方向等によって、モータの回転開始や停止、或いは回転方向の切換等の駆動制御を行っている。操作部は本体１外部に露出したスイッチ部６を有し、該スイッチ部６の外部操作結果を制御部５に出力しており、出力した情報（外部操作結果）に応じて制御部５が駆動制御を行っている。
【００１７】
また、本体１は、図６に示すように、長手方向Ｌの一端に、外径の狭まるネック部７を有している。そして、該一端にはネック部７を介して、脱毛部１１を備えた脱毛ヘッド９が取り付けられており、本体１はネック部７の外周に脱毛ヘッド９より内側に凹んだ凹所８を形成している。
【００１８】
脱毛ヘッド９は略三角形状で一辺を外側に凸の円弧形状とした扇形となっており、円弧側で本体１に取り付けられ、扇の中心側である角部内に脱毛部１１が配置されており、脱毛処理時には、角部を脱毛対象部位７０に当接するものとなっている。更に、ネック部７によって形成される凹所８は、少なくとも角部と本体１の長手方向Ｌの間に形成されている。
【００１９】
また、脱毛部１１は、図１、図２に示すように、駆動部により回転される回転シリンダ１２と、回転シリンダ１２の回転中心を構成する軸部１７と、開閉して毛を挟持する脱毛爪３０と、脱毛爪３０に開閉動作を行わせる開閉機構部と、を有している。
【００２０】
そして、軸部１７は断面略円形状の棒材からなり、回転シリンダ１２に略同心で貫通して挿通されており、軸部１７は回転シリンダ１２を軸回りに回転自在で支持している。更に、脱毛部１１は、図６に示すように、本体１の長手方向Ｌに視て本体１の内側に位置すると共に、回転シリンダ１２の回転中心（軸部１７の軸心）が本体１の長手方向Ｌに対して鋭角に傾いて配置されている。以下、特に規定しない限り、回転シリンダ１２の回転中心である軸部１７の軸心に沿った方向を、単に軸方向ＡＸとして、本体１の軸方向である長手方向Ｌと区別する。
【００２１】
また、回転シリンダ１２は外周に複数のリブ５６を備えると共に、三対の脱毛爪３０が外周で開閉動作を行っている。そのため、脱毛部１１は、開閉動作に伴い脱毛爪３０で毛を挟持すると共に、挟持動作に伴って回転シリンダ１２が回転することで、挟持した毛を引き抜くものとなっている。
【００２２】
詳しくは、回転シリンダ１２が、主体となる円柱状のシリンダ部１３と、シリンダ部１３の外周に設けられた複数のリブ５６と、シリンダ部１３の第１端面１４に略同心で且つ一体に形成された駆動部の回転駆動を受ける歯車１６と、を有している。
【００２３】
シリンダ部１３は、歯車１６を一端に備え周面の一部が切り欠かれた有底円筒状の爪基台１８と、爪基台１８に略同心で固定され爪基台１８の他端である円筒開口端を閉塞する円板状のカバー部２５と、で構成されている。そして、爪基台１８の円筒底部及びカバー部２５は円の中心に軸方向ＡＸに沿って貫通した貫通孔２０，２６を有しており、該貫通孔２０，２６に軸部１７が挿通されている。
【００２４】
そのため、シリンダ部１３は軸部１７の軸回りに回転自在で軸部１７に支持されている。そして、爪基台１８の円筒底部の外面がシリンダ部１３の第１端面１４となっており、カバー部２５の一方の板面がシリンダ部１３の第２端面１５となっている。
【００２５】
爪基台１８は全周の略四分の一を切り欠いて内周の空間を径方向に開口させた凹陥部１９を備えており、該凹陥部１９には脱毛爪３０が軸方向ＡＸに並んで配置されている。
【００２６】
該円筒底部は第１端面１４である外面に歯車１６が略同心で且つ一体に設けられており、歯車１６で駆動部からの回転駆動を受けることで、回転シリンダ１２が軸部１７の軸回りに回転するものとなっている。そして、円筒底部は第１端面１４の反対側の面（凹陥部１９側の面）に、矩形状で軸方向ＡＸに凹んだ嵌込溝２１を備えており、凹陥部１９には外周側が内周側に比べて空間の周方向の寸法を広くなる段部を備えている。
【００２７】
カバー部２５は、軸部１７挿通用の貫通孔２６と、開閉機構部の開閉レバー５０（詳細は後述する）の挿通される四角孔２７と、を軸方向ＡＸに貫通して有している。そして、カバー部２５は爪基台１８の円筒開口端に固定されると共に、該円筒開口端の開口を閉塞している。
【００２８】
また、脱毛爪３０は回転シリンダ１２の外周に略等間隔で軸方向ＡＸに並んで配置されており、略同時に開閉動作を行うものとなっている。
【００２９】
該脱毛爪３０は、回転シリンダ１２に固定された固定爪３８と、固定爪３８に対して近接離間する可動爪３１と、を夫々備えている。そして、可動爪３１は開閉機構部によって近接離間しており、脱毛爪３０は該近接離間が開閉動作となっており、固定爪３８と可動爪３１の軸方向の対向面が、毛を挟持する挟持面３３，４０となっている。
【００３０】
詳しくは、可動爪３１が、図１に示すように、円弧状の爪部３２と、爪部３２の円周の略中間から内周側に突出した片部３５と、で構成されたＴ字状の金属板材からなり、三つの可動爪３１は略同形同寸となっている。そして、可動爪３１は爪部３２の円周中点を通る円弧の径方向を基準に線対称形状となっている。
【００３１】
以下、図３（ａ）に示すような可動爪３１が固定爪３８に近接した姿勢を基準として、可動爪３１の構成を説明する。
【００３２】
爪部３２は閉成時に円弧が回転シリンダ１２と略同心で並ぶと共に、少なくとも固定爪３８と軸方向ＡＸに正対する平面を有しており、該平面が挟持面３３となっている。そして、爪部３２は、図１に示すように、円弧の周方向の両端に夫々テーパ部３４を有しており、テーパ部３４は毛を挟持面３３に誘導するガイド部となっている。
【００３３】
更に、片部３５は、図３に示すように、軸部１７より大径で軸部１７が挿通される貫通孔３６を有しており、軸部１７によって回転シリンダ１２からの抜け止めがなされている。
【００３４】
また、固定爪３８は、図２、図３に示すように、回転シリンダ１２と略同心の円弧状の爪部３９を有している。そして、爪部３９は対をなす可動爪３１側を向く軸方向ＡＸの端面が、閉成時に可動爪３１の挟持面３３と正対する挟持面４０となっている。
【００３５】
更に、爪部３９の外周半径Ｒ２は、脱毛対象部位７０との当接面となるリブの最大半径Ｒ１と、略同寸となっており、脱毛爪３０は当接面と略同じ高さ位置で毛を挟持するものとなっている。
【００３６】
そのため、脱毛爪３０が脱毛対象部位７０に近接して毛を摘むことができて、脱毛爪３０がリブ５６より小径のものに比べて短い毛を挟持し易くなり、脱毛性能及び脱毛効率を向上させることができる。そして、脱毛対象部位７０に近接して毛を摘むため、毛を根元に近い位置で挟持することができて、脱毛時の刺激を軽減することができる。
【００３７】
また、三つの固定爪３８は軸方向ＡＸに略等間隔で並ぶと共に、一枚の金属板材からなる固定爪体で形成されており、三つの固定爪３８は一部材となっている。該固定爪体は、金属製で矩形の薄板にプレス加工等を施し形成した板金部材からなり、平行に並ぶ二つの板部の間を三つの桟部で繋いだ形状となっており、該桟部が夫々固定爪３８の爪部３９となっている。
【００３８】
なお、固定爪体は板金部材に限らず、切削や熔接等で形成してもよいが、板金部材が安価で生産できて好ましい。もちろん、一体の固定爪体に形成したものに限らず、固定爪３８を夫々個別に形成してもよい。
【００３９】
以下の説明において、第１端面１４に最も近い可動爪３１を第１可動爪３１とし、第２端面１５に最も近い可動爪３１を第３可動爪３１とし、第１可動爪３１と第３可動爪３１の間に位置する可動爪３１を第２可動爪３１として、三つの可動爪３１を区別する。そして、第１可動爪３１と対をなす固定爪３８を第１固定爪３８とし、第２可動爪３１と対をなす固定爪３８を第２固定爪３８とし、第３可動爪３１と対をなす固定爪３８を第３固定爪３８として、三つの固定爪３８を区別する。
【００４０】
開閉機構部は、図１に示すように、開閉動作の支点となる支点板４６と、スライドする開閉レバー５０と、開閉レバー５０を第１端面１４側に押圧する押圧部５５（図８参照）と、開閉レバー５０を第２端面１５側に付勢する付勢ばね５４と、を備えている。そして、支点板４６と開閉レバー５０と付勢ばね５４が凹陥部１９に配置されると共に、開閉レバー５０は爪基台１８の内周面に沿って軸方向ＡＸにスライド自在となっている。更に、押圧部５５は回転シリンダ１２の第２端面１５外方に配置されて、第２端面１５に弾性的に当接されている。
【００４１】
支点板４６は、軸方向ＡＸの寸法が長い矩形状の板材からなり、板面を回転シリンダ１２の径方向に略直交させた姿勢で、軸方向ＡＸの両端がシリンダ部１３に固定されている。そして、支点板４６はシリンダ部１３の凹陥部１９内の段部と共に固定爪体を径方向に挟持して、固定爪体をシリンダ部１３に固定している。
【００４２】
更に、支点板４６は板面に、可動爪３１が挿通される溝４７を可動爪３１と同数（三つ）備えており、各溝４７には、夫々異なる可動爪３１の片部３５が挿通されると共に、片部３５の板面が溝４７の周縁に接触している。そのため、各可動爪３１は夫々支点板４６によって軸方向ＡＸに位置決めされると共に、揺動自在に支持されており、可動爪３１は支点板４６との接触部位を支点として揺動することで、爪部３２を固定爪３８に対して近接離間させるものとなっている。
【００４３】
開閉レバー５０は断面略半円形状で軸方向ＡＸに軸心を有した棒材からなり、第２端面１５の四角孔２７に挿通されると共に、開閉レバー５０の第１端部５１が凹陥部１９内に位置し、第２端部５２が第２端面１５から軸方向ＡＸに突出して位置している。
【００４４】
そして、開閉レバー５０はシリンダ部１３の内周面に沿って凹陥部１９内を軸方向ＡＸにスライド自在となっている。詳しくは、開閉レバー５０が、第１固定爪３８の挟持面４０と第１端部５１が回転シリンダ１２の直径上に並ぶ第１位置と、第１端部５１が第１固定爪３８より第２端面１５側に位置する第２位置と、の間を往復移動するものとなっている。
【００４５】
また、開閉レバー５０は有底の溝部５３を二つ軸方向ＡＸに略等間隔で平面側に備えている。そして、第１端部５１側の溝部５３には第２可動爪３１の先端部３７が配置されており、第２端部５２側の溝部５３には第３可動爪３１の先端部３７が配置されている。
【００４６】
更に、開閉レバー５０は第１端部５１に第１可動爪３１の先端部３７の板面が当接されると共に、付勢ばね５４によって第１可動爪３１の先端部３７を介して第２端面１５側（第２位置側）へ弾性的に付勢されている。
【００４７】
開閉レバー５０は回転シリンダ１２の回転中に第２端部５２が押圧部５５と弾性的に接触して、押圧部５５によって押圧されるものとなっており、該接触時には押圧部５５の押圧によって付勢ばね５４の付勢に抗して第１位置へスライド移動する。そして、該接触状態から更に回転シリンダ１２が回転すると、押圧部５５が第２端部５２から外れて、接触に伴う押圧が解かれ、開閉レバー５０は付勢ばね５４の付勢によって第２位置へスライド移動する。
【００４８】
該押圧部５５は、図８に示すように、例えば、回転シリンダ１２を第１端面１４側へ弾性的に付勢して位置決めする保持ばねが兼ねている。そして、押圧部５５である保持ばねは回転シリンダ１２を第２端面１５で第１端面１４側に押圧して、回転シリンダ１２の軸方向ＡＸの位置ずれを抑制している。更に、押圧部５５は回転シリンダ１２の一回転毎に一度開閉レバー５０に接触して、開閉レバー５４を第１位置に移動させると共に、押圧部５５は回転シリンダ１２の回転に伴って開閉レバー５０との接触を解除するものとなっている。
【００４９】
また、開閉レバー５０が第２位置に位置した状態では、図３（ｂ）に示すように、可動爪３１が固定爪３８から離間して、脱毛爪３０が開成状態となり、挟持面３３，４０の間に、脱毛対象部位７０の毛を導入する隙間が形成される。そして、開閉レバー５０が第２位置から第１位置に移動する際には、開閉レバー５０の移動に伴って、可動爪３１が支点板４６との接触部位を支点として、固定爪３８に近接する向きに略円弧状に揺動して、上記隙間を狭めていく。
【００５０】
更に、開閉レバー５０が第１位置に位置した状態では、図３（ａ）に示すように、可動爪３１が固定爪３８に近接して、脱毛爪３０は閉成状態となり、挟持面３３，４０間で毛を挟持する。
【００５１】
また、回転シリンダ１２はシリンダ部１３の外周にリブ５６を複数（四つ）備えており、該リブ５６の外周面が、脱毛処理時に脱毛部１１の脱毛対象部位７０に当接される当接面となっている。
【００５２】
詳しくは、リブ５６が、図１、図２に示すように、回転シリンダ１２の中心からの最大半径Ｒ１を略同心同径で有すると共に、夫々軸方向ＡＸに略等間隔離れてシリンダ部１２の外周に設けられている。
【００５３】
そして、各リブ５６は、回転シリンダ１２の中心からの距離が最大半径Ｒ１より小さい凹み５７を夫々有しており、リブ５６は、回転シリンダ１２の回転時に、凹み５７で起毛して、脱毛爪３０に毛を導入させ易くしている。更に、各凹み５７は、中心からの距離が夫々異なっており、起毛可能な毛の長さが凹み５７毎に夫々異なっている。
【００５４】
以下、リブ５６のうち、爪基台１８の円筒底部とカバー部２５に設けられたリブ５６を第１リブ５８とし、爪基台１８の円筒上に設けられたリブ５６を第２リブ５９として、区別する。
【００５５】
第１リブ５８は爪基台１８とカバー部２５の略全周に亘って設けられた略環状となっており、図２に示すように、夫々軸方向ＡＸに視て、脱毛爪３０から略９０度ずれた両側の位置に夫々凹み５７を備えている。
【００５６】
そして、爪基台１８の第１リブ５８は、図２、図３に示すように、凹陥部１９の外周開口と軸方向ＡＸに並ぶ箇所に、凹陥部１９に向かって傾斜して切り欠かれた薄肉部５８となっている。該薄肉部５８は、切り欠かれて形成された空間に、開成時の可動爪３１が位置するものであり、該空間が第１リブ５８と可動爪３１の接触を回避する隙間となっている。
【００５７】
更に、カバー部２５の第１リブ５８は、図２、図３に示すように、凹陥部１９の外周開口と軸方向ＡＸに並ぶ箇所が、周囲の部位から分割された円弧部６１となっている。該円弧部６１は外径が固定爪３８の爪部３９の内径より若干小さい或いは略同寸となっている。
【００５８】
そのため、カバー部２５の第１リブ５８は、第３固定爪３８の内側の空間４１内に円弧部６１が収容されると共に、該第１リブは、円弧部６１の周囲の部位の外周と、円弧部６１の外周を覆う第３固定爪３８の外周が周方向に連続している。
【００５９】
また、第２リブ５９は爪基台１８の凹陥部１９を除く円筒部位の外周の略全周に亘って設けられたＣ字形となっており、図２に示すように、軸方向ＡＸに視て、脱毛爪３０から略１８０度ずれた位置に一つの凹み５７を備えている。
【００６０】
そして、第２リブ５９はＣ字の開口箇所に第１固定爪３８或いは第２固定爪が位置すると共に、第２リブと固定爪３８の外周が周方向に連続している。
【００６１】
このように、リブ５６の凹み５７を周方向にずらして配置したことで、第１リブ５８と第２リブ５９の一方のリブ５６の凹み５７が脱毛対象部位７０に位置した際に、他方のリブ５６が凹み５７以外の箇所で脱毛対象部位７０に当接されるものとなっている。
【００６２】
そのため、回転シリンダ１２の軸心から脱毛対象部位７０までの径方向の寸法を略一定に保って、脱毛部１１を脱毛対象部位７０に当接することができて、脱毛対象部位７０の回転シリンダ１２内周側への落ち込みを抑制して脱毛処理を行うことができる。
【００６３】
そして、凹み５７毎に中心からの距離が夫々異なるため、起毛可能な毛の長さが凹み５７毎に夫々異なるものとなり、凹み５７で起毛可能な毛の種類（長さ）を多くすることができて、毛を脱毛爪３０に導入され易くすることができる。
【００６４】
また、爪基台１８の第１リブ５８に薄肉部５８を設けたことで、可動爪３１の可動範囲を狭めずに回転シリンダ１２（爪基台１８）の軸方向ＡＸの寸法を小さくすることができて、脱毛部１１を小型化することができる。そして、カバー部２５の第１リブ５８に円弧部６１を設けて第３固定爪３８の内側の空間４１内に収容したことで、回転シリンダ１２の軸方向ＡＸの寸法を小さく抑えることができて、脱毛部１１を小型化することができる。
【００６５】
また、凹み５７はリブ５６に一つ以上設けてあれば、第１リブ５８と第２リブ５９に同数設けたものや、四つのリブ５６で夫々凹み５７の数が異なるものであってもよい。更に、図４に示すように凹み５７の一部を切り欠いたものや、図５に示すようにリブ５６を切り欠いて凹み５７を形成したもの等の凹み５７が回転シリンダ１２の周方向に角６２を有したものであってもよい。このものでは、凹み５７に位置した毛を角６２で起こし易くなり、起毛効率を向上させることができる。
【００６６】
なお、本例では脱毛爪３０を三対有しているが、三対に限らず一対や二対或いは四対以上有してもよく、リブ５６においても４つに限らず、３つ以下や５つ以上備えたものであってもよい。
【符号の説明】
【００６７】
１  本体
１１  脱毛部
１２  回転シリンダ
１７  軸部
３０  脱毛爪
５６  リブ
５７  凹み
６２  角
ＡＸ  軸方向
【図１】
2012130488.tif 000003
【図２】
2012130488.tif 000004
【図３】
2012130488.tif 000005
【図４】
2012130488.tif 000006
【図５】
2012130488.tif 000007
【図６】
2012130488.tif 000008
【図７】
2012130488.tif 000009
【図８】
2012130488.tif 000010
【図９】
2012130488.tif 000011